(57)【要約】【課題】簡便に、低コストにて可動部の多様な変位を実現することが可能な置物を提供する。【解決手段】基体部１０の上部開口部にコイルスプリング１１を介して可動自在に取付けられた可動部１２と、可動部１２に一端が固定されコイルスプリング１１の内側を通って延出されるとともに延出端に折曲げ部１３ａが形成されたロッド１３と、モータ、ゼンマイばね、オルゴールのドラム軸等の駆動源１４からの動力を受けて回転駆動される爪車１５とを有し、爪車１５の爪１５ａがロッド１３の折曲げ部１３ａに係合してロッド１３を移動させることで可動部１２に変位を与える置物１０１である。【選択図】図１
2008023132.tif 000002
【特許請求の範囲】
【請求項１】
基体部と、
前記基体部に弾性部材を介して支持された可動部と、
駆動源の回転執に固定されて駆動される爪車と、
第１端部が前記可動部に支持され第２端部が前記爪車に係合され、前記爪車の回転によって前記可動部を変位させるロッドと、  
を含むことを特徴とする置物。
【請求項２】
請求項１記載の置物において、
前記ロッドの前記第2端部には折り曲げ部が設けられ、前記折り曲げ部に係合する前記爪車の回転によって前記可動部に揺動変位を与えることを特徴とする置物。
【請求項３】
請求項２記載の置物において、
さらに、前記爪車の回転平面にほぼ平行な平面内に前記ロッドの変位を規制するロッド移動規制ガイドを含み、前記折り曲げ部に係合する前記爪車の回転によって前記可動部に振子変位を与えることを特徴とする置物。
【請求項４】
請求項３記載の置物において、
前記ロッドには、前記ロッド移動規制ガイドに対する摺接部に、当該ロッド移動規制ガイドとの接触音を緩和する消音チューブが挿通されていることを特徴とする置物。
【請求項５】
請求項２記載の置物において、
さらに、前記ロッドを回転自在に軸支する第１ロッド軸受部を備え、前記折り曲げ部に係合する前記爪車の回転によって前記可動部に前記ロッドを回転軸とする回動変位を与えることを特徴とする置物。
【請求項６】
請求項１記載の置物において、
さらに、前記ロッドを回転自在に軸支する第１ロッド軸受部を備え、
前記ロッドの前記第２端部は略Ｔ字形に分岐した第１および第２分岐端を備え、
前記爪車は、前記第１および第２分岐端にそれぞれ係合する第１および第２爪車を備えた２枚爪車からなり、  
前記ロッドの前記第１および第２分岐端にそれぞれ係合する前記第１および第２爪車の同一方向への回転によって、前記可動部に前記ロッドを回転軸とする互いに逆方向の回動変位を与えることを特徴とする置物。
【請求項７】
請求項６記載の置物において、
前記２枚爪車の前記第１および第２爪車は、互いに枚数および形状の少なくとも一方が異なることを特徴とする置物。
【請求項８】
請求項１記載の置物において、
前記ロッドの前記第２端部が、前記爪車に係合する折り曲げ部と当該ロッドに平行な折り返し部からなる略Ｕ字形を呈し、  
前記ロッドと前記折り返し部を軸方向に変位自在に支持する第２ロッド軸受部を備え、  前記折り曲げ部に係合する前記爪車の回転によって前記可動部に前記ロッドの軸方向の
直線変位を与えることを特徴とする置物。
【請求項９】
請求項１記載の置物において、
前記駆動源はオルゴールであり、当該オルゴールの発音弁を駆動するドラム軸に前記爪車が固定されることを特徴とする置物。
【発明の詳細な説明】
【技術分野】
【０００１】
本発明は、置物に関し、たとえば、基体部と可動部を備え、駆動源によって可動部に変位を発生させる置物等に適用して有効な技術に関する。
【背景技術】
【０００２】
たとえば、キャラクタ等の置物の一部を可動にして、興趣ある動きを楽しめるようにすることが考えられる。
【０００３】
従来、特許文献１に開示された揺動装置付オルゴールのように、オルゴール自体の内部に、振動弁を駆動するドラムに固定されたカムと、このカムに摺接する揺動腕を一体に内蔵し、この揺動腕に飾り物を固定して変位を与える技術が知られている。
【０００４】
【特許文献１】実開平０４−１１２４２９６号公報
【発明の開示】
【発明が解決しようとする課題】
【０００５】
ところが、特許文献１の場合には、カムや揺動腕がオルゴールと一体化されているため、揺動腕に固定された飾り物の動きを変更する場合には、オルゴール自体の設計変更が必要となり、飾り物の動きを変更することが容易ではなく、高コストになるという技術的課題があった。
換言すれば、揺動腕に固定された飾り物の動きの種類だけ、専用の構造のオルゴールが必要となり、汎用性に欠ける。
【０００６】
本発明の目的は、簡便に、低コストにて可動部の多様な変位を実現することが可能な置物を提供することにある。
本発明の他の目的は、可動部に変位を与える駆動源の汎用性を損なうことなく、可動部の多様な変位を実現することが可能な置物を提供することにある。
【課題を解決するための手段】
【０００７】
本発明の第１の態様は、基体部と、前記基体部に弾性部材を介して支持された可動部と、駆動源の回転軸に固定されて駆動される爪車と、第１端部が前記可動部に支持され第２端部が前記爪車に係合され、前記爪車の回転によって前記可動部を変位させるロッドと、を含む置物を提供する。
この第１の態様によれば、爪車やロッドの第２端部の形状を異なるものに変更するだけで、駆動源自体の構造に依存することなく、変位振幅、変位方向、変位周期等の異なる、可動部の多様な変位を容易かつ低コストにて実現することができる。
また、駆動源としては、爪車を駆動する回転軸を備えているだけでよく、駆動源自体の汎用性を損なうことなく、可動部の多様な変位を実現することができる。
【０００８】
本発明の第２の態様は、第１の態様に記載の置物において、前記ロッドの前記第２端部には折り曲げ部が設けられ、前記折り曲げ部に係合する前記爪車の回転によって前記可動部に揺動変位を与える置物を提供する。
この第２の態様によれば、ロッドの第２端部に折り曲げ部を設けるという簡素な構成により、低コストにて可動部の揺動変位を実現できる。
【０００９】
本発明の第３の態様は、第２の態様に記載の置物において、さらに、前記爪車の回転平面にほぼ平行な平面内に前記ロッドの変位を規制するロッド移動規制ガイドを含み、前記折り曲げ部に係合する前記爪車の回転によって前記可動部に振子変位を与える置物を提供する。
この第３の態様によれば、特定の平面内における、変位振幅、変位方向、変位周期等の異なる、可動部の振子変位を実現できる。
【００１０】
本発明の第４の態様は、第３の態様に記載の置物において、前記ロッドには、前記ロッド移動規制ガイドに対する摺接部に、当該ロッド移動規制ガイドとの接触音を緩和する消音チューブが挿通されている置物を提供する。
この第４の態様によれば、可動部の変位に伴う動作音等のノイズが小さくなり、置物の設置環境の静粛性を維持できる。
【００１１】
本発明の第５の態様は、第２の態様に記載の置物において、さらに、前記ロッドを回転自在に軸支する第１ロッド軸受部を備え、前記折り曲げ部に係合する前記爪車の回転によって前記可動部に前記ロッドを回転軸とする回動変位を与える置物を提供する。
この第５の態様によれば、特定の軸の回りにおける、変位振幅、変位方向、変位周期等の異なる、可動部の回転変位を実現できる。
【００１２】
本発明の第６の態様は、第１の態様に記載の置物において、さらに、前記ロッドを回転自在に軸支する第１ロッド軸受部を備え、前記ロッドの前記第２端部は略Ｔ字形に分岐した第１および第２分岐端を備え、前記爪車は、前記第１および第２分岐端にそれぞれ係合する第１および第２爪車を備えた２枚爪車からなり、前記ロッドの前記第１および第２分岐端にそれぞれ係合する前記第１および第２爪車の同一方向への回転によって、前記可動部に前記ロッドを回転軸とする互いに逆方向の回動変位を与える置物を提供する。
この第６の態様によれば、可動部にロッドを回転軸とする互いに逆方向の複雑な回動変位を与えることができる。
【００１３】
本発明の第７の態様は、第６の態様に記載の置物において、前記２枚爪車の前記第１および第２爪車は、互いに枚数および形状の少なくとも一方が異なる置物を提供する。
この第７の態様によれば、ロッドを回転軸とする互いに逆方向の回動変位の各々の変位振幅、変位方向、変位周期を個別に設定して、可動部に複雑な変位を与えることができる。
【００１４】
本発明の第８の態様は、第１の態様に記載の置物において、前記ロッドの前記第２端部が、前記爪車に係合する折り曲げ部と当該ロッドに平行な折り返し部からなる略Ｕ字形を呈し、前記ロッドと前記折り返し部を軸方向に変位自在に支持する第２ロッド軸受部を備え、前記折り曲げ部に係合する前記爪車の回転によって前記可動部に前記ロッドの軸方向の直線変位を与える置物を提供する。
この第８の態様によれば、ロッドの軸方向に、変位振幅、変位方向、変位周期の異なる多様な直線変位を可動部に与えることができる。
【００１５】
本発明の第９の態様は、第１の態様に記載の置物において、前記駆動源はオルゴールであり、当該オルゴールの発音弁を駆動するドラム軸に前記爪車が固定される置物を提供する。
この第９の態様によれば、任意の設計仕様のオルゴールを駆動源として汎用的に用いることができるとともに、オルゴールを鳴動させながら可動部を変位させることができる。
また、爪車の爪の回転方向の配置や枚数、さらにはロッドの形状を適宜選択することで、任意のオルゴールの奏でる楽曲や小節に同期した可動部の多様な変位を実現できる。
【発明の効果】
【００１６】
本発明によれば、簡便に、低コストにて可動部の多様な変位を実現することが可能な置物を提供できる、という効果が得られる。
また、可動部に変位を与える駆動源の汎用性を損なうことなく、可動部の多様な変位を実現することが可能な置物を提供することができる、という効果が得られる。
【発明を実施するための最良の形態】
【００１７】
以下、本発明の実施の形態を、図面を参照して詳細に説明する。なお、以下の各実施の形態の説明では、共通な構成要素には同一の符号を付して、重複した説明は割愛する。
【００１８】
図１は本発明の第１の実施の形態に係る置物の構成の一例を示す斜視図である。
図１に例示されるように、本実施の形態の置物１００は、略円錐形状の基体部１０にコイルスプリング１１を介して略球形状の可動部１２が可動自在に取付けられている。
【００１９】
基体部１０の上部には、軸受孔１０ａが開口されており、この軸受孔１０ａにコイルスプリング１１の下端が接着等によって固定されている。
【００２０】
可動部１２は下部に開口部１２ａが形成され、可動部１２の内部にコイルスプリング１１が挿入されている。コイルスプリング１１の上端は、可動部１２の内部の上端部１２ｂに接着等によって固定されている。
【００２１】
この場合、可動部１２の内部の上端部１２ｂには、ロッド１３の上端（第１端部）が接着等によって固定されている。このロッド１３は、コイルスプリング１１の内側を通って基体部１０の内側へ延出されており、その延出端（第２端部）には直角に曲げられた折曲げ部１３ａが形成されている。
【００２２】
基体部１０の底盤１６には、出力軸１４ａを備えた駆動源１４が固定されている。この出力軸１４ａには、爪車１５が螺子止め等によって着脱自在に交換可能に固定されており、駆動源１４から動力を受けて爪車１５が回転駆動される構成となっている。
【００２３】
駆動源１４は、たとえば、モータ、ゼンマイばね、オルゴールのドラム軸等からなり、出力軸１４ａにトルクを出力する。駆動源１４は、必要に応じて減速機構を有し、出力軸１４ａを一方向へ回転駆動する。
【００２４】
爪車１５は、複数の爪１５ａを備えている。爪１５ａの回転範囲は、コイルスプリング１１によって基体部１０に対して変位自在な可動部１２に支持されたロッド１３の揺動範囲に干渉する位置に配置されている。
これにより、爪車１５が回動すると、爪車１５の個々の爪１５ａが、ロッド１３の折曲げ部１３ａに係合する。
【００２５】
本実施の形態の置物１００の作用の一例を説明する。
駆動源１４の出力軸１４ａからの動力によって爪車１５が回転し、爪１５ａがロッド１３の折曲げ部１３ａに係合し、ロッド１３を、コイルスプリング１１をたわませながら矢印Ａの方向へ移動させると、コイルスプリング１１の弾性により、可動部１２はコイルスプリング１１の下端部を支点として矢印Ａとは逆方向の矢印Ａｌの方向に変位する。
【００２６】
爪車１５がさらに回転され、ロッド１３の折曲げ部１３ａが爪１５ａから外れると、コイルスプリング１１の弾性でロッド１３は矢印Ｂの方向へ移動され、可動部１２は反対の矢印Ｂｌの方向に変位し、可動部１２は振子運動する。また、次の爪１５ａが到来するまでに、ロッド１３は、可動部１２の慣性とコイルスプリング１１の弾性により自由に振子運動する。
【００２７】
爪車１５の次の爪１５ａがロッド１３を矢印Ａ方向へ押しやり、可動部１２の振子運動を連続させる。
これにより、爪車１５の回転に伴って、可動部１２には連続した振子変位が発生する。
【００２８】
なお、たとえば、コイルスプリング１１の捩じり剛性が小さい場合は、ロッド１３の軸と、爪１５ａと折曲げ部１３ａの接触部との距離Ｌに応じたトルクにて、ロッド１３を軸とする矢印Ｃの捩じり変位も同時に発生する。矢印Ｃの捩じり変位は、コイルスプリング１１の捩じり剛性や距離Ｌ等を変化させることで、随意に調整できる。
【００２９】
この捩じり変位が好ましくない場合には、たとえば、折曲げ部１３ａが爪車１５に対して空振りしない範囲で、距離Ｌを十分に小さくすればよい。
【００３０】
このように、本実施の形態の置物１００によれば、ロッド１３および爪車１５はいずれも比較的単純な構成であり、低コストにて製造できる。また、爪車１５の爪１５ａの枚数や形状、ロッド１３の長さ、等の条件や、これらの条件の組み合わせを変化させることで、駆動源１４の設計変更等を全く必要とすることなく、簡単に可動部１２の振子変位の振幅、周期等を多様に設定できる。
【００３１】
すなわち、本実施の形態の置物１００によれば、簡便に、低コストにて可動部１２の多様な変位を実現することが可能である。
【００３２】
また、駆動源１４の出力軸１４ａに対して爪車１５を蝶子止め等で交換可能に固定することにより、出力軸１４ａを備えた任意の設計仕様の駆動源１４を爪車１５の回転駆動に採用できる。
【００３３】
すなわち、可動部１２に変位を与える駆動源１４の汎用性を損なうことなく、可動部１２の多様な変位を実現することが可能な置物１００を提供することができる。
【００３４】
図２は本発明の第２の実施の形態に係る置物の構成の一例を示す斜視図である。図２に例示される置物１０１では所定の平面内で可動部１２を横揺れさせる例を示す。
駆動源１４に連結されて固定された基体部２０の上端にはコイルスプリング１１の下端部を固定する筒部２０ａが形成されている。
【００３５】
筒部２０ａには、必要に応じて、たとえば、スカート等の任意のデザインの筐体を固定することができる。
【００３６】
可動部１２は図１に例示したものと同じである。可動部１２は下部が開口部１２ａとされ、可動部１２の内部にコイルスプリング１１が挿入されている。コイルスプリング１１の上端は、可動部１２の内部の上端部１２ｂに接着等によって固定されている。また、可動部１２の内部の上端部１２ｂにはロッド２３の一端が接着等によって固定されている。
【００３７】
このロッド２３は、コイルスプリング１１の内側を通って駆動源１４側へ延出されており、その延出端には直角に曲げられた折曲げ部２３ａおよび折返し部２３ｂが形成されている。なお、本実施の形態では折返し部２３ｂはなくてもよい。
ただし、折返し部２３ｂを、ロッド２３の自由振動の周期を調整するための錘として機能させることもできる。
【００３８】
基体部２０には、ロッド２３の移動方向を一方向に規制するロッド移動規制ガイド２４が一体的に取付けられている。このロッド移動規制ガイド２４は、筒部２０ａから所定距離だけ下側に設けられている。このロッド移動規制ガイド２４は、ロッド２３を挟んで、爪車１５の回転平面内にほぼ平行に配設された一対のガイド部２４ａを有している。これにより、爪車１５によるロッド２３の移動方向がガイド部２４ａと平行になるように規制するものである。
【００３９】
この置物１０１の場合、ロッド２３がロッド移動規制ガイド２４のガイド部２４ａに接触すると接触音が発生する。そこで、ロッド２３に消音チューブ２５をかぶせ、ロッド２３とガイド部２４ａとの接触音を緩和するようにしている。
【００４０】
特に図示しないが、折曲げ部２３ａにも消音チューブ２５をかぶせて同様の消音効果を実現してもよい。
【００４１】
また、この置物１０１では、爪車１５の爪１５ａにおける折曲げ部２３ａとの接触する側に滑らかな面取り部１５ｂを設けることで、当該折曲げ部２３ａと爪１５ａとの滑らかな接離を実現している。
【００４２】
以下、本実施の形態の置物１０１の作用の一例について説明する。
上記の図２の構成において、駆動源１４の出力軸１４ａからの動力によって爪車１５が回転し、爪１５ａがロッド２３の折曲げ部２３ａに係合し、ロッド２３がコイルスプリング１１をたわませながら矢印Ａ方向へ移動させる。
【００４３】
ここで、ロッド移動規制ガイド２４によってロッド２３の移動方向が矢印Ａ−Ｂの方向を含む、爪車１５の回転平面にほぼ平行な平面内に規制されているので、ロッド２３と爪車１５との接触が確実となる。
【００４４】
ロツド２３の折曲げ部２３ａが回転軌道の爪車１５から外れると、コイルスプリング１１の弾性でロッド２３は矢印Ｂ方向へ移動され、コイルスプリング１１の弾性と可動部１２の慣性で、可動部１２は前記平面内における振子運動する。
【００４５】
爪車１５の次の爪１５ａが到来してロッド１３を矢印Ａ方向へ押しやり、可動部１２の振子運動を連続させる。ロッド移動規制ガイド２４によってロッド２３の移動方向が一方向に規制されているので、可動部１２の移動方向も一方向となる。したがって、可動部１２を特定の平面内で横揺れ（揺動）させることができる。
【００４６】
このことは、たとえば、可動部１２に描画されたキャラクタの顔等の向きに応じて、特定の平面内で可動部１２を揺動させたい場合に有効である。
【００４７】
なお、ロッド２３と、爪１５ａおよび折曲げ部２３ａとの接触部の距離Ｌと、コイルスプリング１１の捩じり剛性の関係等により、可動部１２には矢印Ｃに示すような捩じれ変位が同時に発生することは、上述の置物１００の場合と同様である。
【００４８】
図３は、本実施の形態の置物１０１に備えられた爪車１５の変形例（他の具体例）を示す斜視図である。
図３（ａ）は２つの爪１５ａを、１８０度の回転対称の位置に備えた爪車１５の一例を示している。
図３（ｂ）は４つの爪１５ａのうち、対向する一対が１８０度の回転対称の位置に配置され、他の一対は、回転方向に非対称の位置に配置された爪車１５の一例を示している。
【００４９】
このように、ロッド２３を駆動する爪車１５の爪１５ａの数、形状、回転方向の配置角度等を変えることで、ロッド２３の動きを、簡単に、より複雑に変化させることができ、これにより可動部１２の多様な動きを簡単に変更することができる。
【００５０】
図４は本発明の第３の実施の形態に係る置物の構成の一例を示す斜視図である。図４は可動部１２を回動させる置物１０２を例示している。
【００５１】
すなわち、図４に示す置物１０２は、ロッド２３の揺動を規制し、ロッド２３の回動を許容するロッド固定ホール部３０（第１ロッド軸受部）を備える点が、上述の置物１０１と異なっている。
【００５２】
ロッド固定ホール部３０は基体部２０に一体に取付けられており、ロッド２３を軸方向に変位自在に挿通する軸受孔３０ａを有する。ロッド固定ホール部３０によってロッド２３はほぼ鉛直に保持される。その他の構造は図２に示したものと同じである。
【００５３】
以下、本実施の形態の置物１０２の作用を説明する。
上記の構成の置物１０２において、駆動源１４からの動力によって爪車１５が回転し、爪１５ａがロッド２３の折曲げ部２３ａに係合すると、ロッド２３はコイルスプリング１１を捻りながら可動部１２を回動させる。
【００５４】
ロッド固定ホール部３０の軸受孔３０ａが軸受となり、ロッド２３は、自身の軸を中心とする矢印Ｂ−Ａ方向の揺動変位を行う。
【００５５】
爪車１５の回動に伴って爪１５ａとロッド２３の折曲げ部２３ａの係合がはずれると、コイルスプリング１１の復元力でロッド２３は矢印Ｂ方向へ移動され、可動部１２の慣性とコイルスプリング１１の弾性で可動部１２の矢印Ｃｌのような左右回転運動が持続される。
【００５６】
爪車１５の次の爪１５ａがロッド２３を矢印Ａの方向へ移動させ、可動部１２の上述の左右回転運動を連続させる。
【００５７】
爪車１５の中心から爪１５ａの折曲げ部２３ａに対する当接部までの長さや、前記距離Ｌ、コイルスプリング１１の剛性等を適宜変化させることにより、さまざまな周期や振幅を有する可動部１２の上述の左右回転運動を実現できる。
【００５８】
このように、本実施の形態の置物１０２によれば、コイルスプリング１１（ロッド２３）の軸の回りの左右回転変位を可動部１２に与えることができる。
【００５９】
図５は本発明の第４の実施の形態に係る置物の構成の一例を示す斜視図である。
図５は可動部１２を左右に回動させる置物１０３の例を示している。ただし、上述の図４に示した置物１０２との相違点は次のとおりである。
【００６０】
本実施の形態の置物１０３の場合、ロッド２３の替りに、下端部がＴ字形の折曲げ部３３ａおよび折曲げ部３３ｂに分岐したＴ字ロッド３３を用い、爪車１５の代わりに２枚爪車３５を設けている。
【００６１】
２枚爪車３５は、Ｔ字ロッド３３の一方の折曲げ部３３ａに係合する爪車３５ａと、Ｔ字ロッド３３の他方の折曲げ部３３ｂに係合する他方の爪車３５ｂとを有する。
【００６２】
すなわち、２枚爪車３５は、車軸部３５ｃの両端部に、爪車３５ａおよび爪車３５ｂが同軸に固定された構造となっている。
【００６３】
また、爪車３５ａには、一対の爪３５−１が１８０度の回転対称位置に配置されている。また、爪車３５ｂには、爪３５−２が１８０度の回転対称位置に配置されている。ただし、爪３５−１と爪３５−２は、回転方向に９０度だけずれている。
これにより、爪車３５ａの爪３５−１と、爪車３５ｂの爪３５−２は、互いにことなるタイミングで交互に、Ｔ字ロッド３３の対応する折曲げ部３３ａ、折曲げ部３３ｂに係合することになる。
【００６４】
以下、本実施の形態の置物１０３の作用を説明する。
上記の構成の置物１０３において、駆動源１４からの動力によって２枚爪車３５が回転し、一方の爪車３５ａの爪３５−１がＴ字ロッド３３の折曲げ部３３ａの側を押すことで、Ｔ字ロッド３３は矢印Ｂ側へ回動され、コイルスプリング１１が捻られ、可動部１２が矢印ＢＢ方向へ回動される。
【００６５】
２枚爪車３５がさらに回転され、爪３５−１がＴ字ロッド３３から外れると、コイルスプリング１１の復元力と可動部１２の慣性で可動部１２の左右回動運動が持続される。
【００６６】
２枚爪車３５の爪車３５ｂの側の次の爪３５−２がＴ字ロッド３３の折曲げ部３３ｂの側を押すことで、Ｔ字ロッド３３は逆に矢印Ａ側に回動され、コイルスプリング１１が前回とは逆方向に捻られ、可動部１２が矢印ＡＡ方向へ回動される。
【００６７】
爪３５−２がＴ字ロッド３３の折曲げ部３３ｂから外れると、コイルスプリング１１の復元力と可動部１２の慣性で可動部１２の左右回動運動が持続される。
【００６８】
このように、本実施の形態の場合には、２枚爪車３５の爪車３５ａおよび爪車３５ｂがＴ字ロッド３３の折曲げ部３３ａおよび折曲げ部３３ｂを交互に逆方向に押すことで、Ｔ字ロッド３３の軸の回りの互いに逆方向の左右回動運動を確実に発生させることができる。
【００６９】
図６は、本実施の形態の置物１０３における２枚爪車３５の他の具体例を示す斜視図である。各爪車３５ａ、３５ｂの爪の数、形状を変えることで、Ｔ字ロッド３３の動きを変化させ、可動部１２の回動に変化を与えることができる。
【００７０】
すなわち、この図６の例では、爪車３５ａの側の爪３５−１は、上述の図５の場合と同様であるが、爪車３５ｂの爪３５−２は、一対の非対称の爪３５−２がさらに設けられ、枚数が４枚に増やされている。
【００７１】
これにより、２枚爪車３５が１回転する間における爪車３５ａおよび爪車３５ｂの折曲げ部３３ａおよび折曲げ部３３ｂに対する当接回数やタイミングが異なるように動作する。このため可動部１２の左右回動運動において、左右方向に交互にではなく、不等間隔に、周期や振幅の異なる回動運動を発生させることができる。
【００７２】
図７は本発明の第５の実施の形態に係る置物の構成の一例を示す斜視図である。
図７に示す本実施の形態の置物１０４は、可動部１２に上下方向の直線変位を与えるように動作するものである。
【００７３】
図７に示すように、本実施の形態の置物１０４は、ロッド固定ホール部４０（第２ロッド軸受部）を備えている。
【００７４】
このロッド固定ホール部４０は、基体部２０に取付られており、ロッド２３が挿通される軸受孔４０ａと、当該ロッド２３に平行に折り返された折返し部２３ｂが挿通される軸受孔４０ｂとが設けられている。ロッド固定ホール部４０によってロッド２３は鉛直に保持される。
【００７５】
このように、ロッド固定ホール部４０の軸受孔４０ａおよび軸受孔４０ｂに、互いに平行なロツド２３および折返し部２３ｂが挿通されていることにより、ロッド２３の軸の回りの揺動変位が規制され、ロッド２３の軸方向の上下動のみが許容される状態となっている。
その他の構造は、図４に示したものと同じである。
【００７６】
以下本実施の形態の置物１０４の作用を説明する。
上記の構成の置物１０４において、駆動源１４からの動力によって爪車１５が回転し、爪１５ａの面取り部１５ｂがロッド２３の折曲げ部２３ａに係合すると、ロッド固定ホール部４０によってロッド２３の軸の回りの揺動変位が規制されているため、折曲げ部２３ａは、爪車１５の回転とともに面取り部１５ｂに摺接しつつ、せり上がるように上昇し、ロッド２３は矢印Ｄのように上方向へ移動する。
【００７７】
このロッド２３の上方向への移動により、コイルスプリング１１は延伸され、矢印Ｄｌのように可動部１２は上方へ移動する。爪車１５の回転に伴って爪１５ａ（面取り部１５ｂ）とロッド２３の折曲げ部２３ａとの係合が外れると、コイルスプリング１１の弾性と可動部１２の自重とにより可動部１２は下方向へ移動し、可動部１２の慣性とコイルスプリング１１の弾性で可動部１２の上下運動を持続させる。
【００７８】
爪車１５の次の爪１５ａ（面取り部１５ｂ）が、ロッド２３を上方向へ押し上げ、可動部１２の上下運動を連続させる。
【００７９】
このように、本実施の形態の置物１０４によれば、可動部１２に対して上下方向の直線的な変位を発生させることができる。
【００８０】
また、爪車１５の径方向における爪１５ａ（面取り部１５ｂ）の折曲げ部２３ａに対する摺接長さを適宜設定することで、可動部１２の上下動のストローク（振幅）を随意に設定できる。
【００８１】
また、爪車１５における複数の爪１５ａの各々における前記摺接長さを個別に設定することで、毎回、異なるストローク（振幅）にて可動部１２の上下動を行わせることもできる。
【００８２】
図８は本発明の第６の実施の形態に係る置物の構成の一例を示す説明図である。図９は図８に示す置物を裏面から見た図である。
【００８３】
図８に例示される本実施の形態の置物１０５は、駆動源としてオルゴールを用い、オルゴールの鳴動とともに可動部が揺動するようにしたものである。
【００８４】
基体部５０は例えば陶器製であり、その上部にコイルスプリング５１を介して可動部５２が取付けられている。コイルスプリング５１の上端は接着キャップ５３に接着等によって固定されており、この接着キャップ５３を可動部５２の内部の頭部中央に接着等によって固定している。
【００８５】
コイルスプリング５１の下端にはビニール管５５が固着され、このビニール管５５を介してコイルスプリング５１が基体部５０の上部開口部に接着等によって固定されている。
【００８６】
また、接着キヤツプ５３には、ロッド５４の上端（第１端部）が接着等によって固定され、下端（第２端部）はコイルスプリング５１の内側を通って基体部５０側に延出されている。
【００８７】
なお、ロツド５４は、上述の図１に例示したロッド１３と同様に、基体部５０内の下端部に折曲げ部５４ａが設けられている。
【００８８】
，
基体部５０の下部開口部には裏蓋５６が接着等によって取付られており、この裏蓋５６には木製のオルゴール取付台５７を介してオルゴール５８が取付られている。
【００８９】
図９に例示されるように、オルゴール５８は、ドラム軸５８ａ、ドラム５８ｂ、発音弁５８ｃ、ドラム駆動ギア５８ｄ、図示しないゼンマイばね等を含んでいる。
【００９０】
ドラム５８ｂは、ドラム軸５８ａに支持されて回転し、表面に突設された図示しない複数の突起にて発音弁５８ｃを弾くことにより音を発生させる。
【００９１】
ドラム駆動ギア５８ｄは、図示しないゼンマイばね等のトルクをドラム軸５８ａに伝達して、ドラム５８ｂを所定の速さで回転駆動する。
【００９２】
これにより、ドラム５８ｂに突設された複数の突起の配列と、ドラム５８ｂの回転速度とに応じて、発音弁５８ｃが所望の楽曲を反復して奏する。
【００９３】
そして、オルゴール５８のドラム軸５８ａに爪車５９がネジ止め等により交換可能に取付られている。
【００９４】
この場合、爪車５９の回転方向の位置は、可動部５２の変位がオルゴール５８の奏でる楽曲に同期するように設定される。
【００９５】
オルゴール５８のドラム軸５８ａに取付られた爪車５９は、複数の爪５９ａを備えており、この爪５９ａが、ロッド５４の折曲げ部５４ａが係合するようにしている。
【００９６】
以下、本実施の形態の置物１０５の作用を説明する。
オルゴール５８に内蔵されたゼンマイばねのトルクがドラム駆動ギア５８ｄ、ドラム軸５８ａを介してドラム５８ｂに伝達され、ドラム５８ｂが所定の方向に所定の速度で回転し、ドラム５８ｂに突設された複数の突起が発音弁５８ｃを弾いて楽曲を奏する。
【００９７】
このとき、ドラム軸５８ａに固定された爪車５９は、当該楽曲の進行に同期して回転し、爪車５９の爪５９ａにロッド５４の下端の折曲げ部５４ａが係合してロッド５４を揺動させる。これにより、当該楽曲の進行に同期して可動部５２が揺動する。
【００９８】
このように、爪車５９の爪５９ａの形状や枚数、回転方向の配置位置等を適宜設定することにより、オルゴール５８で奏される楽曲のメロディや小節に合わせて可動部５２を自在に変位させることができる。
【００９９】
上述のように、本実施の形態の置物１０５の場合には、爪車５９、ロッド５４は、オルゴール５８から独立しており、爪車５９を着脱自在にオルゴール５８にドラム軸５８ａを蝶子等で固定するだけで組み立てることができる。
【０１００】
従って、可動部５２の揺動変位の仕様を変更する場合でも、オルゴール５８の構造自体は全く変更する必要がなく、ドラム５８ｂのドラム軸５８ａが外部に突設された構造のものであれば、任意のオルゴール５８を駆動源として用いることが可能である。
【０１０１】
換言すれば、可動部５２に変位を与える駆動源としてのオルゴール５８の汎用性を損なうことなく、可動部５２の多様な変位を実現することが可能となる。
【０１０２】
また、可動部５２に変位を与える機構として、コイルスプリング５１、ロッド５４、爪車５９を備えた簡素な構造であるため、オルゴール５８の楽曲に同期した可動部５２の変位を実現するための爪車５９の形状や、ロッド５４、コイルスプリング５１の剛性等の決定を、コンピュータシミュレーション等によって、比較的容易に決定できる。
【０１０３】
従って、多様なオルゴール５８の楽曲に可動部５２の変位を同期させるための多様な爪車５９、ロッド５４、コイルスプリング５１を短期間に製造でき、多様な変位仕様の置物１０５を、短期間で製造することが可能になる。
【０１０４】
なお、本発明は、上述の実施の形態に例示した構成に限らず、その趣旨を逸脱しない範囲で種々変更可能であることは言うまでもない。
たとえば、弾性部材としては、コイルスプリングの代わりに、板バネ、ゴムチューブ等の任意の弾性部材を用いることもできる。
また、オルゴールは、ゼンマイばねで動作するものに限らず、モータで動作するものであってもよい。
【図面の簡単な説明】
【０１０５】
【図１】本発明の第１の実施の形態に係る置物の構成の一例を示す斜視図である。
【図２】本発明の第２の実施の形態に係る置物の構成の一例を示す斜視図である。
【図３】本発明の第２の実施の形態に係る置物における爪車の他の具体例を示す斜視図である。
【図４】本発明の第３の実施の形態に係る置物の構成の一例を示す斜視図である。
【図５】本発明の第４の実施の形態に係る置物の構成の一例を示す斜視図である。
【図６】本発明の第４の実施の形態に係る置物における２枚爪車の他の具体例を示す斜視図である。
【図７】本発明の第５の実施の形態に係る置物の構成の一例を示す斜視図である。
【図８】本発明の第６の実施の形態に係る置物の構成の一例を示す斜視図である。
【図９】本発明の第６の実施の形態に係る置物を裏面から一部破断して見た平面図である。
【符号の説明】
【０１０６】
１０    基体部
１０ａ  軸受孔
１１    コイルスプリング
１２    可動部
１２ａ  開口部
１２ｂ  上端部
１３    ロッド
１３ａ  折曲げ部
１４    駆動源
１４ａ  出力軸
１５    爪車
１５ａ  爪
１５ｂ  面取り部
１６    底盤  
２０    基体部
２０ａ  筒部
２３    ロッド
２３ａ  折曲げ部
２３ｂ  折返し部
２４    ロッド移動規制ガイド    
２４ａ  ガイド部
２５    消音チューブ
３０    ロッド固定ホール部
３０ａ  軸受孔
３３    Ｔ字ロッド
３３ａ  折曲げ部
３３ｂ  折曲げ部
３５    ２枚爪車
３５−１  爪
３５−２  爪
３５ａ  爪車
３５ｂ  爪車
３５ｃ  車軸部
４０    ロッド固定ホール部
４０ａ  軸受孔
４０ｂ  軸受孔
５０    基体部
５１    コイルスプリング
５２    可動部
５３    接着キャップ
５４    ロッド
５４ａ  折曲げ部
５５    ビニール管
５６    裏蓋
５７    オルゴール取付台
５８    オルゴール  
５８ａ  ドラム軸
５８ｂ  ドラム
５８ｃ  発音弁    
５８ｄ  ドラム駆動ギア
５９    爪車
５９ａ  爪
１００  置物
１０１  置物
１０２  置物
１０３  置物
１０４  置物  
１０５  置物
【図１】
2008023132.tif 000003
【図２】
2008023132.tif 000004
【図３】
2008023132.tif 000005
【図４】
2008023132.tif 000006
【図５】
2008023132.tif 000007
【図６】
2008023132.tif 000008
【図７】
2008023132.tif 000009
【図８】
2008023132.tif 000010
【図９】
2008023132.tif 000011